(57)【要約】      （修正有）【課題】過酸化水素と処理剤との反応の終点を検知するため、簡単な構造で、長期間安定に無保守で使用できる電気化学検知装置を提供する。【解決手段】電気化学検知装置１は、過酸化水素と処理剤との反応の終点を検知するために使用される酸化還元電位測定複合電極２を有し、酸化還元電位測定複合電極２は、白金を検知電極２ａとし、ガラス電極を比較電極２ｂとし、検知電極２ａと比較電極２ｂとを、１本の電極にまとめ複合電極とした。排液処理装置は、過酸化水素の処理剤を貯留した処理剤タンク１０と、過酸化水素含有排液を貯留する処理槽２０と、処理剤タンク１０の処理剤を処理槽２０に供給する送液ポンプ３１とを有し、電気化学検知装置１の酸化還元電位測定複合電極２を処理槽２０に浸漬し、酸化還元電位測定複合電極２が接続された濃度制御装置４１に予め入力された設定電位に従って、送液ポンプ３１の駆動を制御して、処理剤の供給量を制御する。【選択図】図１
2010243453.tif 000002
【特許請求の範囲】
【請求項１】
過酸化水素と処理剤との反応の終点を検知するために使用される酸化還元電位測定複合電極を有し、
前記酸化還元電位測定複合電極は、白金を検知電極とし、ガラス電極を比較電極とし、
前記検知電極と前記比較電極とを、１本の電極にまとめ複合電極としたことを特徴とする電気化学検知装置。
【請求項２】
過酸化水素の処理剤を貯留した処理剤タンクと、
過酸化水素含有排液を貯留する処理槽と、
前記処理剤タンクの処理剤を前記処理槽に供給する送液ポンプと、
を有し、
請求項１に記載した電気化学検知装置の酸化還元電位測定複合電極を前記処理槽に浸漬し、
前記酸化還元電位測定複合電極が接続された濃度制御装置に予め入力された設定電位に従って、前記送液ポンプの駆動を制御して、前記処理剤の供給量を制御することを特徴とした排液処理装置。
【発明の詳細な説明】
【技術分野】
【０００１】
この発明は、還元剤等による排過酸化水素水処理の終点検知に使用される電気化学検知装置及び電気化学検知装置を使用した排液処理装置に関する。
【背景技術】
【０００２】
例えば、過酸化水素排液の分解処理には、カタラーゼ系の酵素の添加により水と酸素に分解する方法が一般的であり、反応終点の検出に関しては、随時、排液中によう化カリウムでんぷん紙のような試験紙を浸してその変色具合により終点を判定するか、または、試験管に測定液をサンプリングした後、発色試薬を加えて簡易比色計にセットし、発色の状態により終点を検出する方法が一般的である。
【０００３】
また、電気化学検知装置として、ポーラロ式電極を検出器とした濃度測定装置があり、例えば検知用電極と電気分解用電極を組み合わせたヨードメトリ方式が一般的である。これは、一定濃度のヨウ化カリウム溶液に検知用電極と電気分解用電極を浸漬した測定セルにサンプル液を添加、攪拌し、ヨウ素イオンとの反応による酸化還元電位の変化に従って電解を行い、電解に要した電流量を測定し、過酢酸濃度を求めるという方法である（参考文献１，２）。
【先行技術文献】
【特許文献】
【０００４】
【特許文献１】特開２００５−１４７９４４号公報
【特許文献２】特開２００３−２９４６９４号公報
【発明の概要】
【発明が解決しようとする課題】
【０００５】
ところで、過酸化水素処理に関して、従来のような、試験紙や簡易比色法で終点を検出する方法では、反応の途中で、何回か排液をサンプリングして、試験紙を浸したり、簡易比色計にかけたりして反応の進行状況を見なければならないが、このような場合、これらの操作が煩雑であるばかりでなく、終点を越えて、処理剤が過剰に添加されてしまう場合があり、この場合にはＢＯＤ値、あるいはＣＯＤ値が上昇してしまい、これらの数値を調整するためにさらに別の試薬と操作が必要となってしまう場合がある。
【０００６】
また、酵素による過酸化水素の分解は一種の酸化還元反応であるため、その終点は酸化還元電極で検出が可能であるが、例えば塩化カリウム内部液を流出させる方式の塩化銀電極を比較電極に用いた場合には、流出した分の塩化カリウムを補充しないと測定が不可能となってしまう。
【０００７】
この発明は、かかる点に鑑みてなされたもので、簡単な構造で、長期間安定に無保守で使用できる電気化学検知装置及び排液処理装置を提供することを目的とする。
【課題を解決するための手段】
【０００８】
前記課題を解決し、かつ目的を達成するために、この発明は、以下のように構成した。
【０００９】
請求項１に記載の発明は、過酸化水素と処理剤との反応の終点を検知するために使用される酸化還元電位測定複合電極を有し、
前記酸化還元電位測定複合電極は、白金を検知電極とし、ガラス電極を比較電極とし、
前記検知電極と前記比較電極とを、１本の電極にまとめ複合電極としたことを特徴とする電気化学検知装置である。
【００１０】
請求項２に記載の発明は、過酸化水素の処理剤を貯留した処理剤タンクと、
過酸化水素含有排液を貯留する処理槽と、
前記処理剤タンクの処理剤を前記処理槽に供給する送液ポンプと、
を有し、
請求項１に記載した電気化学検知装置の酸化還元電位測定複合電極を前記処理槽に浸漬し、
前記酸化還元電位測定複合電極が接続された濃度制御装置に予め入力された設定電位に従って、前記送液ポンプの駆動を制御して、前記処理剤の供給量を制御することを特徴とした排液処理装置である。
【発明の効果】
【００１１】
前記構成により、この発明は、以下のような効果を有する。
【００１２】
請求項１に記載の発明では、過酸化水素と処理剤との反応の終点を検知するために使用される酸化還元電位測定複合電極を有し、酸化還元電位測定複合電極は、白金を検知電極とし、ガラス電極を比較電極とし、検知電極と比較電極とを、１本の電極にまとめ複合電極としたことで、簡単な構造で、長期間安定に無保守で使用できる。
【００１３】
請求項２に記載の発明では、請求項１に記載した電気化学検知装置の酸化還元電位測定複合電極を処理槽に浸漬し、酸化還元電位測定複合電極が接続された濃度制御装置に予め入力された設定電位に従って、送液ポンプの駆動を制御して、処理剤の供給量を制御することで、人手を煩わすことなく長期間安定に過酸化水素含有排液の処理を行うことが可能である。
【図面の簡単な説明】
【００１４】
【図１】電気化学検知装置の構成図である。
【図２】酸化還元滴定曲線を示す図である。
【図３】排液処理装置の構成図である。
【発明を実施するための形態】
【００１５】
以下、この発明の電気化学検知装置及び排液処理装置の実施の形態について説明する。この発明の実施の形態は、発明の最も好ましい形態を示すものであり、この発明はこれに限定されない。
【００１６】
［電気化学検知装置］
この実施の形態の電気化学検知装置１は、過酸化水素と処理剤との反応の終点を検知するために使用される酸化還元電位測定複合電極２と、キャップ３とを有する。この酸化還元電位測定複合電極２は、白金を検知電極２ａとし、ガラス電極を比較電極２ｂとし、検知電極２ａと比較電極２ｂとを、１本の電極にまとめ複合電極とした。
【００１７】
キャップ３は酸化還元電位測定複合電極２と電気的に接続され、このキャップ３には、ケーブル４が接続される。このケーブル４には端子４ａ，４ｂを有し、この端子４ａ，４ｂを測定装置５に接続して酸化還元電位を測定する。
【００１８】
また、図２は、酸化還元電位測定複合電極２による過酸化水素とカタラーゼ系処理剤の酸化還元滴定と、当量点の算出例である。酸化還元電位測定複合電極２を用いることにより、測定装置５によって酸化還元電位測定複合電極２の電圧に基づき、図２から過酸化水素と処理剤との反応の終点を検知することができる。すなわち、図２では、滴定量が変化しても低電圧で変化しない状態が、過酸化水素と処理剤との反応がない状態であり、所定の滴定量になると反応が開始し、電圧が上昇して一定になると、反応が終了する。
【００１９】
このように、過酸化水素と処理剤との反応の終点を検知するために使用される酸化還元電位測定複合電極２を有し、酸化還元電位測定複合電極２は、白金を検知電極２ａとし、ガラス電極を比較電極２ｂとし、検知電極２ａと比較電極２ｂとを、１本の電極にまとめ複合電極としたことで、簡単な構造で、長期間安定に無保守で使用できる。
【００２０】
［排液処理装置］
この実施の形態の排液処理装置は、過酸化水素の処理剤を貯留した処理剤タンク１０と、過酸化水素含有排液を貯留する処理槽２０と、処理剤タンク１０と処理槽２０とを連通する連通路３０とを有する。この連通路３０に送液ポンプ３１を設け、この送液ポンプ３１の駆動により処理剤タンク１０の処理剤を処理槽２０に供給する。
【００２１】
処理槽２０には、攪拌機２１が配置され、攪拌機２１の駆動によって過酸化水素含有排液と処理剤とを混合する。また、処理槽２０には、廃液通路２２が設けられ、廃液通路２２に設けた廃液バルブ２３によって処理済の液を排出する。
【００２２】
処理槽２０には、電極ホルダ４０が浸漬しており、この電極ホルダ４０には前記した電気化学検知装置の酸化還元電位測定複合電極２が設けられている。
【００２３】
酸化還元電位測定複合電極２を処理槽２０に浸漬させ、測定装置５に備えられた濃度制御装置４１には、酸化還元電位測定複合電極２を接続される。濃度制御装置４１には、酸化還元電位測定複合電極２から検出情報が入力され、この濃度制御装置４１は、予め入力された設定電位に従って、送液ポンプ３１の駆動を制御して、処理剤の供給量を制御する。
【００２４】
このように、電気化学検知装置の酸化還元電位測定複合電極２を、処理槽２０に浸漬し、測定装置５は酸化還元電位測定複合電極２の検出情報に基づき測定するが、濃度制御装置４１に予め入力された設定電位に従って、送液ポンプ３１の駆動を制御して、処理剤の供給量を制御することで、人手を煩わすことなく長期間安定に過酸化水素含有排液の処理を行うことが可能である。
【００２５】
このような排液処理装置では、過酸化水素排液はそのまま一般下水には排水できないため還元剤等を加えて処理する必要があるが、還元剤等の処理剤添加の当量点検知に使用される酸化還元電位測定複合電極２は、無保守センサである。
【産業上の利用可能性】
【００２６】
この発明は、還元剤等による排過酸化水素水処理の終点検知に使用される電気化学検知装置及び電気化学検知装置を使用した排液処理装置に適用でき、簡単な構造で、長期間安定に無保守で使用できる。
【符号の説明】
【００２７】
１  電気化学検知装置
２  酸化還元電位測定複合電極
２ａ  検知電極
２ｂ  比較電極
３  キャップ
４  ケーブル
４ａ，４ｂ  端子
５  測定装置
１０  処理剤タンク
２０  処理槽
２１  攪拌機
２２  廃液通路
２３廃液バルブ
３０  連通路
３１  送液ポンプ
４０  電極ホルダ
４１  濃度制御装置
【図１】
2010243453.tif 000003
【図２】
2010243453.tif 000004
【図３】
2010243453.tif 000005